(57)【要約】      （修正有）【課題】無人車両を円滑に動作させることができる作業現場の管理システムを提供する。【解決手段】作業現場の管理システム３は、無人車両（無人車両の制御装置３０）と有人車両（有人車両の制御装置４０）とが混在して稼働する作業現場において有人車両による排土位置を特定する特定部３Ｂと、排土位置に基づいて、無人車両の動作を制御する動作制御部３０Ａと、を備える。【選択図】図３
2020197949.tif 000002
【特許請求の範囲】
【請求項１】
無人車両と有人車両とが混在して稼働する作業現場において前記有人車両による排土位置を特定する特定部と、
前記排土位置に基づいて、前記無人車両の動作を制御する動作制御部と、を備える、
作業現場の管理システム。
【請求項２】
前記無人車両の走行コースデータを生成する走行コースデータ生成部と、
前記排土位置に基づいて、前記走行コースデータを変更する走行コースデータ変更部と、を備え、
前記動作制御部は、前記走行コースデータ変更部により変更された前記走行コースデータに基づいて走行する、
請求項１に記載の作業現場の管理システム。
【請求項３】
前記有人車両は、前記有人車両の位置を検出する位置センサを有し、
前記特定部は、前記位置センサの検出データに基づいて、前記排土位置を特定する、
請求項１又は請求項２に記載の作業現場の管理システム。
【請求項４】
前記無人車両又は前記有人車両が有する障害物センサの検出データに基づいて、前記排土位置を補正する補正部を備え、
前記動作制御部は、前記補正部により補正された前記排土位置に基づいて、前記無人車両の動作を制御する、
請求項１から請求項３のいずれか一項に記載の作業現場の管理システム。
【請求項５】
無人車両と有人車両とが混在して稼働する作業現場において前記有人車両による排土位置を特定することと、
前記排土位置に基づいて、前記無人車両の動作を制御することと、を含む、
作業現場の管理方法。
【発明の詳細な説明】
【技術分野】
【０００１】
本開示は、作業現場の管理システム及び作業現場の管理方法に関する。
【背景技術】
【０００２】
鉱山のような広域の作業現場において、無人車両が稼働する場合がある。
【先行技術文献】
【特許文献】
【０００３】
【特許文献１】特開２０１６−１５３９８７号公報
【発明の概要】
【発明が解決しようとする課題】
【０００４】
作業現場において、無人車両と一緒に有人車両が稼働する場合がある。有人車両が積荷を運搬する運搬車両である場合、有人車両の積荷は、有人車両の運転者により任意の位置に排出される可能性がある。有人車両から積荷が排出された排土位置と無人車両が走行しようとするコースとが重なると、無人車両の円滑な動作が妨げられる。
【課題を解決するための手段】
【０００５】
本発明の態様に従えば、無人車両と有人車両とが混在して稼働する作業現場において前記有人車両による排土位置を特定する特定部と、前記排土位置に基づいて、前記無人車両の動作を制御する動作制御部と、を備える、作業現場の管理システムが提供される。
【発明の効果】
【０００６】
本発明の態様によれば、無人車両は円滑に動作することができる。
【図面の簡単な説明】
【０００７】
【図１】図１は、実施形態に係る管理システム、無人車両、及び有人車両の一例を模式的に示す図である。
【図２】図２は、実施形態に係る作業現場の一例を模式的に示す図である。
【図３】図３は、実施形態に係る管理システムの一例を示す機能ブロック図である。
【図４】図４は、実施形態に係る排土位置の特定方法を説明するための図である。
【図５】図５は、実施形態に係る走行コースデータの変更方法を説明するための図である。
【図６】図６は、実施形態に係る管理方法の一例を示すフローチャートである。
【図７】図７は、実施形態に係るコンピュータシステムの一例を示すブロック図である。
【発明を実施するための形態】
【０００８】
以下、本開示に係る実施形態について図面を参照しながら説明するが、本発明はこれに限定されない。以下で説明する実施形態の構成要素は適宜組み合わせることができる。また、一部の構成要素を用いない場合もある。
【０００９】
＜管理システム＞
図１は、本実施形態に係る管理システム１、無人車両２、及び有人車両９の一例を模式的に示す図である。作業現場において、無人車両２と有人車両９とが混在して稼働する。本実施形態において、作業現場は、鉱山又は採石場である。鉱山とは、鉱物を採掘する場所又は事業所をいう。
【００１０】
無人車両２とは、運転者による運転操作によらずに無人で稼動する車両をいう。有人車両９とは、運転者の運転操作により稼働する車両をいう。
【００１１】
無人車両２及び有人車両９は、作業現場を走行して積荷を運搬する運搬車両の一種であるダンプトラックである。無人車両２及び有人車両９に運搬される積荷として、鉱山又は採石場において掘削された鉱石又は土砂が例示される。
【００１２】
管理システム１は、管理装置３と、通信システム４と、無人車両２と、有人車両９とを備える。管理装置３は、コンピュータシステムを含み、例えば作業現場の管制施設５に設置される。通信システム４は、管理装置３と無人車両２と有人車両９との間で通信する。管理装置３に無線通信機６が接続される。通信システム４は、無線通信機６を含む。管理装置３と無人車両２と有人車両９とは、通信システム４を介して無線通信する。
【００１３】
＜無人車両＞
無人車両２は、管理装置３から送信された走行コースデータに基づいて、作業現場を走行する。無人車両２は、走行装置２１と、走行装置２１に支持される車両本体２２と、車両本体２２に支持されるダンプボディ２３と、制御装置３０とを備える。
【００１４】
走行装置２１は、走行装置２１を駆動する駆動装置２４と、走行装置２１を制動するブレーキ装置２５と、走行方向を調整する操舵装置２６と、車輪２７とを有する。
【００１５】
車輪２７が回転することにより、無人車両２は自走する。車輪２７は、前輪２７Ｆと後輪２７Ｒとを含む。車輪２７にタイヤが装着される。
【００１６】
駆動装置２４は、無人車両２を加速させるための駆動力を発生する。駆動装置２４は、ディーゼルエンジンのような内燃機関を含む。なお、駆動装置２４は、電動機を含んでもよい。駆動装置２４で発生した動力が後輪２７Ｒに伝達される。ブレーキ装置２５は、無人車両２を減速又は停止させるための制動力を発生する。操舵装置２６は、無人車両２の走行方向を調整可能である。無人車両２の走行方向は、車両本体２２の前部の向きを含む。操舵装置２６は、前輪２７Ｆを操舵することによって、無人車両２の走行方向を調整する。
【００１７】
ダンプボディ２３は、積荷が積載される部材である。ダンプボディ２３は、ホイストシリンダの駆動により昇降する。ダンプボディ２３が上昇することにより、ダンプボディ２３から積荷が排出されるダンプ動作が実行される。
【００１８】
制御装置３０は、無人車両２の外部に存在する管理装置３と通信可能である。制御装置３０は、駆動装置２４を作動するためのアクセル指令、ブレーキ装置２５を作動するためのブレーキ指令、及び操舵装置２６を作動するためのステアリング指令を出力する。駆動装置２４は、制御装置３０から出力されたアクセル指令に基づいて、無人車両２を加速させるための駆動力を発生する。駆動装置２４の出力が調整されることにより、無人車両２の走行速度が調整される。ブレーキ装置２５は、制御装置３０から出力されたブレーキ指令に基づいて、無人車両２を減速させるための制動力を発生する。操舵装置２６は、制御装置３０から出力されたステアリング指令に基づいて、無人車両２を直進又は旋回させるために前輪２７Ｆの向きを変えるための力を発生する。
【００１９】
また、無人車両２は、無人車両２の位置を検出する位置センサ２８を備える。無人車両２の位置が、全地球航法衛星システム（ＧＮＳＳ：Global  Navigation  Satellite  System）を利用して検出される。全地球航法衛星システムは、全地球測位システム（ＧＰＳ：Global  Positioning  System）を含む。全地球航法衛星システムは、緯度、経度、及び高度の座標データで規定される無人車両２の絶対位置を検出する。全地球航法衛星システムにより、グローバル座標系において規定される無人車両２の位置が検出される。グローバル座標系とは、地球に固定された座標系をいう。位置センサ２８は、ＧＮＳＳ受信機を含み、無人車両２の絶対位置（座標）を検出する。
【００２０】
また、無人車両２は、無線通信機２９を備える。通信システム４は、無線通信機２９を含む。無線通信機２９は、管理装置３と無線通信可能である。
【００２１】
また、無人車両２は、積荷センサ１１と、障害物センサ１２と、速度センサ１３とを備える。
【００２２】
積荷センサ１１は、積荷が積載されるダンプボディ２３の状態を検出する。積荷センサ１１は、ダンプボディ２３に積荷が積載されているか否かを検出する。積荷センサ１１は、ダンプボディ２３の重量を検出する重量センサを含む。重量センサの検出データに基づいて、ダンプボディ２３の重量が規定値以上であると判定された場合、ダンプボディ２３に積荷が積載されていると判定される。重量センサの検出データに基づいて、ダンプボディ２３の重量が規定値未満であると判定された場合、ダンプボディ２３に積荷が積載されていないと判定される。なお、積荷センサ１１は、ダンプボディ２３の昇降状態を検出する昇降センサを含んでもよい。昇降センサの検出データに基づいて、ダンプボディ２３が下降していると判定された場合、ダンプボディ２３に積荷が積載されていると判定される。昇降センサの検出データに基づいて、ダンプボディ２３が上昇していると判定された場合、ダンプボディ２３に積荷が積載されていないと判定される。
【００２３】
障害物センサ１２は、無人車両２の前方の障害物を検出する。障害物センサ１２は、障害物を非接触で検出する。障害物センサ１２は、無人車両２と障害物との相対位置を検出する。障害物センサ１２として、障害物を電波で走査して、無人車両２と障害物との相対位置を検出可能なレーダセンサが例示される。なお、障害物センサ１２は、障害物をレーザ光で走査して、無人車両２と障害物との相対位置を検出可能なレーザセンサを含んでもよい。無人車両２に設けられる障害物センサ１２は、１つでもよいし複数でもよい。また、無人車両２の後方の障害物を検出する障害物センサ１２が無人車両２に設けられる。
【００２４】
速度センサ１３は、無人車両２の走行速度を検出する。
【００２５】
＜有人車両＞
有人車両９は、有人車両９の運転室に搭乗した運転者の運転操作に基づいて、作業現場を走行する。有人車両９は、走行装置２１と、車両本体２２と、ダンプボディ２３と、位置センサ２８と、無線通信機２９と、積荷センサ１１と、障害物センサ１２と、制御装置４０とを備える。走行装置２１は、駆動装置２４と、ブレーキ装置２５と、操舵装置２６と、前輪２７Ｆ及び後輪２７Ｒを含む車輪２７とを含む。
【００２６】
有人車両９の位置センサ２８は、有人車両９の位置を検出する。有人車両９の無線通信機２９は、管理装置３と無線通信可能である。
【００２７】
有人車両９の積荷センサ１１は、有人車両９のダンプボディ２３の状態を検出する。有人車両９の積荷センサ１１は、無人車両２の積荷センサ１１と同様である。すなわち、有人車両９の積荷センサ１１は、ダンプボディ２３に積荷が積載されているか否かを検出する。有人車両９の積荷センサ１１は、例えばダンプボディ２３の重量を検出する重量センサでもよいし、ダンプボディ２３の昇降状態を検出する昇降センサでもよい。
【００２８】
有人車両９の障害物センサ１２は、有人車両９の前方の障害物を検出する。有人車両９の障害物センサ１２は、無人車両２の障害物センサ１２と同様である。すなわち、有人車両９の障害物センサ１２は、障害物を非接触で検出する。障害物センサ１２は、レーダセンサでもよいし、レーザセンサでもよい。有人車両９に設けられる障害物センサ１２は、１つでもよいし複数でもよい。また、有人車両９の後方の障害物を検出する障害物センサ１２が有人車両９に設けられる。
【００２９】
有人車両９の速度センサ１３は、有人車両９の走行速度を検出する。
【００３０】
制御装置４０は、有人車両９の外部に存在する管理装置３と通信可能である。駆動装置２４を作動するためのアクセルペダル、ブレーキ装置２５を作動するためのブレーキペダル、及び操舵装置２６を作動するためのステアリングホイールが運転室に配置される。アクセルペダル、ブレーキペダル、及びステアリングホイールは、運転者に操作される。駆動装置２４は、アクセルペダルの操作量に基づいて、有人車両９を加速させるための駆動力を発生する。駆動装置２４の出力が調整されることにより、有人車両９の走行速度が調整される。ブレーキ装置２５は、ブレーキペダルの操作量に基づいて、有人車両９を減速させるための制動力を発生する。操舵装置２６は、ステアリングホイールの操作量に基づいて、有人車両９を直進又は旋回させるために前輪２７Ｆの向きを変えるための力を発生する。
【００３１】
＜作業現場＞
図２は、実施形態に係る作業現場の一例を模式的に示す図である。無人車両２及び有人車両９は、鉱山の作業場ＰＡ及び作業場ＰＡに通じる走行路ＨＬの少なくとも一部を走行する。作業場ＰＡは、積込場ＬＰＡ及び排土場ＤＰＡの少なくとも一方を含む。走行路ＨＬは、交差点ＩＳを含む。
【００３２】
積込場ＬＰＡとは、無人車両２及び有人車両９に積荷を積載する積込作業が実施されるエリアをいう。積込場ＬＰＡにおいて、積込機７が稼働する。積込機７は、作業機を有する油圧ショベルである。排土場ＤＰＡとは、無人車両２及び有人車両９から積荷が排出される排土作業が実施されるエリアをいう。
【００３３】
無人車両２は、無人車両２の走行条件を示す走行コースデータに基づいて、作業現場を走行する。図２に示すように、走行コースデータは、間隔をあけて設定された複数のコース点ＣＰを含む。コース点ＣＰは、無人車両２の目標位置を規定する。複数のコース点ＣＰのそれぞれに、無人車両２の目標走行速度及び目標走行方位が設定される。また、走行コースデータは、無人車両２の目標走行経路を示す走行コースＣＲを含む。走行コースＣＲは、複数のコース点ＣＰを結ぶ線によって規定される。
【００３４】
走行コースＣＲは、走行路ＨＬ及び作業場ＰＡに設定される。無人車両２は、走行コースＣＲに従って、走行路ＨＬを走行する。
【００３５】
走行コースデータは、管理装置３において生成される。管理装置３は、生成した走行コースデータを、通信システム４を介して無人車両２の制御装置３０に送信する。制御装置３０は、走行コースデータに基づいて、無人車両２が走行コースＣＲに従って走行し、複数のコース点ＣＰのそれぞれに設定されている目標走行速度及び目標走行方位に従って走行するように、走行装置２１を制御する。
【００３６】
本実施形態においては、走行路ＨＬ及び作業場ＰＡにおいて、無人車両２と有人車両９とが混在して稼働する。例えば、運搬車両として有人車両９のみが稼働する作業現場から無人車両２のみが稼働する作業現場に移行させる場合、移行期間において、無人車両２及び有人車両９の両方が作業現場において稼働する。
【００３７】
＜管理装置及び制御装置＞
図３は、本実施形態に係る管理システム１の一例を示す機能ブロック図である。管理システム１は、管理装置３と、制御装置３０と、制御装置４０とを含む。
【００３８】
管理装置３は、走行コースデータ生成部３Ａと、特定部３Ｂと、走行コースデータ変更部３Ｃと、補正部３Ｄと、出力部３Ｅとを有する。
【００３９】
走行コースデータ生成部３Ａは、無人車両２の走行コースデータを生成する。走行コースデータ生成部３Ａにより生成された走行コースデータは、出力部３Ｅを介して無人車両２に出力される。走行コースデータは、出力部３Ｅから無人車両２の制御装置３０に送信される。
【００４０】
特定部３Ｂは、作業現場において有人車両９による排土位置Ｍを特定する。排土位置Ｍとは、作業現場において有人車両９から積荷が排出される位置をいう。本実施形態において、排土位置Ｍは、有人車両９から排出された積荷の位置、及び積荷を排出するときの有人車両９の位置の一方又は両方を含む概念である。また、排土位置Ｍは、積荷を排出するときの有人車両９の位置を含む所定エリアでもよい。排土位置Ｍは、例えば、積荷を排出するときの有人車両９の位置を中心とする半径５ｍのサークルの範囲でもよい。
【００４１】
特定部３Ｂは、有人車両９が有する積荷センサ１１の検出データと、有人車両９が有する位置センサ２８の検出データとに基づいて、排土位置Ｍを特定する。積荷センサ１１の検出データ、及び位置センサ２８の検出データは、通信システム４を介して管理装置３に送信される。
【００４２】
図４は、本実施形態に係る排土位置Ｍの特定方法を説明するための図である。有人車両９の運転者は、排土場ＤＰＡの任意の位置に積荷を排出することができる。有人車両９から積荷が排出されるとき、有人車両９の走行は停止される。有人車両９の走行が停止した状態で、ダンプボディ２３が上昇することにより、図４に示すように、排土場ＤＰＡの任意の位置に積荷が排出される。有人車両９から積荷が排出されるときの有人車両９の位置は、位置センサ２８により検出される。ダンプボディ２３から積荷が排出されたことは、積荷センサ１１により検出される。したがって、特定部３Ｂは、有人車両９が有する積荷センサ１１の検出データと、有人車両９が有する位置センサ２８の検出データとに基づいて、有人車両９による排土位置Ｍを特定することができる。
【００４３】
なお、有人車両９に位置センサ２８が複数設けられている場合、特定部３Ｂは、複数の位置センサ２８のそれぞれの検出データに基づいて、有人車両９が積荷を排出するときの有人車両９の方位を特定することができる。したがって、特定部３Ｂは、積荷を排出するときの有人車両９の位置と、有人車両９の方位とに基づいて、有人車両９から排出された積荷の位置を特定することができる。
【００４４】
なお、特定部３Ｂは、有人車両９が有する積荷センサ１１の検出データと、有人車両９が有する位置センサ２８の検出データと、速度センサ１３の検出データとに基づいて、排土位置Ｍを特定してもよい。有人車両９から積荷が排出されるとき、有人車両９の走行は停止される。そのため、積荷センサ１１の検出データ及び位置センサ２８の検出データのみならず、速度センサ１３の検出データも考慮されることにより、特定部３Ｂは、排土位置Ｍを高精度に特定することができる。
【００４５】
また、特定部３Ｂは、有人車両９が有する位置センサ２８の検出データと、速度センサ１３の検出データとに基づいて、排土位置Ｍを特定してもよい。排土場ＤＰＡにおいて有人車両９から積荷が排出されるとき、有人車両９は一定時間停車する。そのため、特定部３Ｂは、位置センサ２８の検出データに基づいて、有人車両９が排土場ＤＰＡにおいて一定時間停車後に、排土場ＤＰＡから退出したと判定した場合、有人車両９が一定時間停車した位置を排土位置Ｍとして特定してもよい。
【００４６】
また、位置センサ２８により有人車両９の方位が検出され、位置センサ２８の検出データが有人車両９の方位を含む場合、排土位置Ｍの特定において有人車両９の方位も考慮されることにより、特定部３Ｂは排土位置Ｍを高精度に特定することができる。
【００４７】
走行コースデータ変更部３Ｃは、特定部３Ｂにより特定された排土位置Ｍに基づいて、無人車両２の走行コースデータを変更する。
【００４８】
図５は、本実施形態に係る走行コースデータの変更方法を説明するための図である。無人車両２は、走行コースデータに従って走行する。走行コースデータは、走行コースＣＲを含む。図５に示すように、有人車両９は、走行コースＣＲ上に積荷を排出してしまう可能性がある。走行コースＣＲ上に積荷が排出された場合、走行コースデータ変更部３Ｃは、特定部３Ｂにより特定された排土位置Ｍに基づいて、排土位置Ｍを避けるように、走行コースＣＲを変更する。これにより、無人車両２が有人車両９から排出された積荷に向かって走行することが抑制される。無人車両２は円滑に走行することができる。
【００４９】
補正部３Ｄは、無人車両２が有する障害物センサ１２の検出データに基づいて、特定部３Ｂにより特定された排土位置Ｍを補正する。障害物センサ１２は、無人車両２と排土位置Ｍに存在する積荷との相対位置を検出することができる。また、障害物センサ１２は、排土位置Ｍに存在する積荷の大きさを検出することができる。無人車両２の位置は、無人車両２が有する位置センサ２８により検出される。補正部３Ｄは、位置センサ２８の検出データと障害物センサ１２の検出データとに基づいて、排土位置Ｍに存在する積荷の位置を算出する。位置センサ２８の検出データと障害物センサ１２の検出データとに基づいて算出される積荷の位置は、有人車両９が有する積荷センサ１１の検出データと有人車両９が有する位置センサ２８の検出データとに基づいて特定される排土位置Ｍよりも高い信頼性を有する可能性が高い。また、障害物センサ１２により、排土位置Ｍに存在する積荷の大きさ（積荷が存在する範囲）が特定される。無人車両２が有する障害物センサ１２の検出データに基づいて、特定部３Ｂにより特定された排土位置Ｍが補正されることにより、排土位置Ｍの信頼性は向上する。
【００５０】
なお、補正部３Ｄは、有人車両９が有する障害物センサ１２の検出データに基づいて、特定部３Ｂにより特定された排土位置Ｍを補正してもよい。
【００５１】
出力部３Ｅは、特定部３Ｂにより特定された排土位置Ｍを無人車両２に出力する。走行コースデータ変更部３Ｃにより走行コースデータが変更された場合、出力部３Ｅは、走行コースデータ変更部３Ｃにより変更された走行コースデータを無人車両２に出力する。補正部３Ｄにより排土位置Ｍが補正された場合、出力部３Ｅは、補正部３Ｄにより補正された排土位置Ｍを無人車両２に出力する。
【００５２】
制御装置３０は、無人車両２の動作を制御する動作制御部３０Ａを有する。動作制御部３０Ａは、出力部３Ｅから出力された走行コースデータを取得して、無人車両２の走行を制御する。動作制御部３０Ａは、走行コースデータに従って走行するように無人車両２の走行装置２１を制御する。また、動作制御部３０Ａは、有人車両９による排土位置Ｍに基づいて、無人車両２の動作を制御する。図４を参照して説明したように、排土位置Ｍに基づいて走行コースデータが変更された場合、動作制御部３０Ａは、走行コースデータ変更部３Ｃにより変更された後の走行コースデータに基づいて走行するように、無人車両２の走行装置２１を制御する。また、補正部３Ｄにより排土位置Ｍが補正された場合、動作制御部３０Ａは、補正部３Ｄにより補正された排土位置Ｍに基づいて、無人車両２の動作を制御する。
【００５３】
＜管理方法＞
図６は、本実施形態に係る管理方法の一例を示すフローチャートである。特定部３Ｂは、有人車両９が有する積荷センサ１１の検出データ及び有人車両９が有する位置センサ２８の検出データを取得する（ステップＳ１）。
【００５４】
特定部３Ｂは、積荷センサ１１の検出データと位置センサ２８の検出データとに基づいて、排土位置Ｍを特定する（ステップＳ２）。
【００５５】
補正部３Ｄは、無人車両２又は有人車両９が有する障害物センサ１２の検出データを取得する。補正部３Ｄは、有人車両９から排出された積荷が障害物センサ１２により検出されたか否かを判定する（ステップＳ３）。
【００５６】
ステップＳ３において、有人車両９から排出された積荷が障害物センサ１２により検出されたと判定した場合（ステップＳ３：Ｙｅｓ）、補正部３Ｄは、障害物センサ１２の検出データに基づいて、ステップＳ２において特定された排土位置Ｍを補正する（ステップＳ４）。
【００５７】
ステップＳ３において、有人車両９から排出された積荷が障害物センサ１２により検出されていないと判定した場合（ステップＳ３：Ｎｏ）、補正部３Ｄは、排土位置Ｍの補正を実行しない。
【００５８】
走行コースデータ変更部３Ｃは、ステップＳ２又はステップＳ４において導出された排土位置Ｍが走行コースＣＲ上に存在するか否かを判定する（ステップＳ５）。
【００５９】
ステップＳ５において、排土位置Ｍが走行コースＣＲ上に存在すると判定した場合（ステップＳ５：Ｙｅｓ）、走行コースデータ変更部３Ｃは、排土位置Ｍに基づいて、排土位置Ｍを避けるように、走行コースデータを変更する（ステップＳ６）。
【００６０】
ステップＳ５において、排土位置Ｍが走行コースＣＲ上に存在しないと判定した場合（ステップＳ５：Ｎｏ）、走行コースデータ変更部３Ｃは、走行コースデータの変更を実行しない。
【００６１】
出力部３Ｅは、ステップＳ５において走行コースデータが変更された場合、走行コースデータ変更部３Ｃにより変更された走行コースデータを無人車両２に出力する。出力部３Ｅは、ステップＳ５において走行コースデータが変更されていない場合、走行コースデータ生成部３Ａにより生成された走行コースデータを無人車両２に出力する（ステップＳ７）。
【００６２】
無人車両２の動作制御部３０Ａは、出力部３Ｅから出力された走行コースデータに基づいて、無人車両２の動作を制御する。
【００６３】
＜コンピュータシステム＞
図７は、コンピュータシステム１０００の一例を示すブロック図である。上述の管理装置３、制御装置３０、及び制御装置４０のそれぞれは、コンピュータシステム１０００を含む。コンピュータシステム１０００は、ＣＰＵ（Central  Processing  Unit）のようなプロセッサ１００１と、ＲＯＭ（Read  Only  Memory）のような不揮発性メモリ及びＲＡＭ（Random  Access  Memory）のような揮発性メモリを含むメインメモリ１００２と、ストレージ１００３と、入出力回路を含むインターフェース１００４とを有する。上述の管理装置３、制御装置３０、及び制御装置４０のそれぞれの機能は、プログラムとしてストレージ１００３に記憶されている。プロセッサ１００１は、プログラムをストレージ１００３から読み出してメインメモリ１００２に展開し、プログラムに従って上述の処理を実行する。なお、プログラムは、ネットワークを介してコンピュータシステム１０００に配信されてもよい。
【００６４】
コンピュータシステム１０００は、上述の実施形態に従って、無人車両２と有人車両９とが混在して稼働する作業現場において有人車両９による排土位置Ｍを特定することと、排土位置Ｍに基づいて、無人車両２の動作を制御することと、を実行することができる。
【００６５】
＜効果＞
以上説明したように、本実施形態によれば、無人車両２と有人車両９とが混在して稼働する作業現場において、特定部３Ｂは、有人車両９が積荷を排出した排土位置Ｍを特定する。これにより、特定された排土位置Ｍに基づいて、無人車両２が排土位置Ｍに向かって走行しないように、無人車両２の走行が制御される。無人車両２は、排土位置Ｍを避けながら走行することができるので、無人車両２が円滑に動作することができる。
【００６６】
＜その他の実施形態＞
上述の実施形態においては、排土位置Ｍに基づいて、走行コースデータが変更されることとした。排土位置Ｍに基づいて、走行コースデータが変更されなくてもよい。出力部３Ｅから無人車両２に排土位置Ｍが出力されることにより、無人車両２の制御装置３０は、排土位置Ｍを避けるように、無人車両２の走行を制御することができる。
【００６７】
上述の実施形態においては、排土位置Ｍに基づいて、走行コースデータが変更されることとした。有人車両９による排土位置Ｍに基づいて、無人車両２による排土位置及び走行コースデータが変更されてもよい。例えば、無人車両２による積荷の排出が予定されている排土位置に、有人車両９が先に積荷を排出してしまう可能性がある。無人車両２による積荷の排出が予定されている排土位置に、有人車両９が先に積荷を排出してしまった場合、走行コースデータ変更部３Ｃは、有人車両９による排土位置Ｍに基づいて、無人車両２による排土位置及び走行コースデータを変更する。なお、無人車両２による排土位置及び走行コースデータは、例えば管制施設５の管理者により変更されてもよい。動作制御部３０Ａは、変更された後の無人車両２による排土位置及び走行コースデータに基づいて、無人車両２の動作を制御する。動作制御部３０Ａは、変更された後の無人車両２による排土位置に向かって無人車両２を走行させる。
【００６８】
上述の実施形態においては、特定部３Ｂは、無人車両２又は有人車両９の前方の障害物を検出する障害物センサ１２の検出データを用いて、排土位置Ｍを特定することとした。上述ように、無人車両２及び有人車両９は、後方の障害物を検出する障害物センサ１２を有する。特定部３Ｂは、無人車両２又は有人車両９の後方の障害物を検出する障害物センサ１２の検出データを用いて、排土位置Ｍを特定してもよい。例えば、無人車両２又は有人車両９が後進する場合において、無人車両２又は有人車両９の後方の障害物が障害物センサ１２により検出される場合、特定部３Ｂは、無人車両２又は有人車両９の後方の障害物を検出する障害物センサ１２の検出データを用いて、排土位置Ｍを特定することができる。
【００６９】
上述の実施形態においては、有人車両９に係る検出データに基づいて排土位置Ｍが特定され（ステップＳ２）、無人車両２が有する障害物センサ１２の検出データに基づいて排土位置Ｍが補正され（ステップＳ４），補正後の排土位置Ｍに基づいて無人車両２の走行コースデータが変更（ステップＳ６）されることとした。ステップＳ２の処理が省略されてもよい。すなわち、無人車両２により排土位置Ｍが特定された後（ステップＳ４）、特定された排土位置Ｍに基づいて、無人車両２の走行コースデータが変更（ステップＳ６）されてもよい。この場合、無人車両２の障害物センサ１２によって無人車両２と有人車両９による排土位置Ｍとの相対位置が検出され、排土位置Ｍが特定される。
【００７０】
また、上述の実施形態において、ステップＳ４の処理が省略されてもよい。すなわち、有人車両９により排土位置Ｍが特定された後（ステップＳ２），特定された排土位置Ｍに基づいて、無人車両２の走行コースデータが変更（ステップＳ６）されてもよい。
【００７１】
上述の実施形態において、排土位置Ｍに基づいて、無人車両２の進入を禁止する進入禁止エリアが設定されてもよい。排土位置Ｍを含むように進入禁止エリアが設定されることにより、無人車両２が排土位置Ｍを走行することが抑制される。
【００７２】
上述の実施形態においては、有人車両９は排土場ＤＰＡにおいて積荷を排出し、特定部３Ｂは排土場ＤＰＡにおける排土位置Ｍを特定することとした。排土位置Ｍは、排土場ＤＰＡに限定されない。有人車両９は、例えば走行路ＨＬの傍らに積荷を排出してもよい。特定部３Ｂは、走行路ＨＬにおける排土位置Ｍを特定することができる。また、有人車両９が積込場ＬＰＡに積荷を排出したり、交差点に積荷を排出したりする可能性がある。特定部３Ｂは、積込場ＬＰＡにおける排土位置Ｍ及び交差点における排土位置Ｍを特定することができる。すなわち、特定部３Ｂは、鉱山のような作業現場における排土位置Ｍを特定することができる。
【００７３】
上述の実施形態において、制御装置３０の機能、及び制御装置４０の機能の少なくとも一部が管理装置３に設けられてもよいし、管理装置３の機能の少なくとも一部が、制御装置３０、及び制御装置４０に設けられてもよい。例えば、特定部３Ｂの機能が有人車両９の制御装置４０又は無人車両２の制御装置３０に設けられてもよい。
【００７４】
なお、上述の実施形態においては、走行コースデータが管理装置３において生成され、無人車両２は管理装置３から送信された走行コースデータに従って走行することとした。無人車両２の制御装置３０が走行コースデータを生成してもよい。すなわち、制御装置３０が走行コースデータ生成部３Ａを有してもよい。また、管理装置３及び制御装置３０のそれぞれが走行コースデータ生成部３Ａを有してもよい。
【００７５】
例えば、無人車両２は、管理装置３から走行コースデータを取得せずに、有人車両９による排土位置Ｍを特定し、特定された排土位置Ｍに基づいて走行してもよい。
【００７６】
なお、上述の実施形態においては、無人車両２及び有人車両９が運搬車両の一種であるダンプトラックであることとした。無人車両２及び有人車両９は、例えば油圧ショベル又はブルドーザのような作業機を備える作業機械でもよい。
【符号の説明】
【００７７】
１…管理システム、２…無人車両、３…管理装置、３Ａ…走行コースデータ生成部、３Ｂ…特定部、３Ｃ…走行コースデータ変更部、３Ｄ…補正部、３Ｅ…出力部、４…通信システム、５…管制施設、６…無線通信機、７…積込機、９…有人車両、１１…積荷センサ、１２…障害物センサ、１３…速度センサ、２１…走行装置、２２…車両本体、２３…ダンプボディ、２４…駆動装置、２５…ブレーキ装置、２６…操舵装置、２７…車輪、２７Ｆ…前輪、２７Ｒ…後輪、２８…位置センサ、２９…無線通信機、３０…制御装置、３０Ａ…動作制御部、４０…制御装置、ＣＰ…コース点、ＣＲ…走行コース、ＰＡ…作業場、ＤＰＡ…排土場、Ｍ…排土位置、ＨＬ…走行路、ＩＳ…交差点。
【図１】
2020197949.tif 000003
【図２】
2020197949.tif 000004
【図３】
2020197949.tif 000005
【図４】
2020197949.tif 000006
【図５】
2020197949.tif 000007
【図６】
2020197949.tif 000008
【図７】
2020197949.tif 000009